(57)【特許請求の範囲】
【請求項１】
第１のステーションの動作チャネルを用いて、前記第１のステーションにより所定の送信時点に送信開始するデータを受信するように構成される第１のデータ通信ユニットであって、前記第１のステーションは帯域幅電力節約モードを有効にし、前記第１のステーションの前記動作チャネルは、前記第１のステーションの利用可能チャネルであり、アクセスポイントの利用可能帯域幅リソースの一部を占有し、前記所定の送信時点は前記アクセスポイントにより指定される、第１のデータ通信ユニットと、
第２のステーションの動作チャネルを用いて、前記第２のステーションにより前記所定の送信時点に送信開始するデータを受信するように構成される第２のデータ通信ユニットであって、前記第２のステーションの前記動作チャネルは、前記アクセスポイントの利用可能帯域幅リソースの別の部分を占有する、第２のデータ通信ユニットと、
を備えるアクセスポイント。
【請求項２】
トリガフレーム送信ユニットであって、
前記第１のステーションの前記動作チャネルを用いて前記データを受信する前に、前記第１のステーションが前記所定の送信時点にデータを送信開始することを示す第１のトリガフレームを前記第１のステーションへ送信し、
前記第２のステーションの前記動作チャネルを用いて前記データを受信する前に、前記第２のステーションが前記所定の送信時点にデータを送信開始することを示す第２のトリガフレームを前記第２のステーションへ送信する、
よう構成されるトリガフレーム送信ユニット、を更に含む請求項１に記載のアクセスポイント。
【請求項３】
前記第１のステーションの前記動作チャネル及び前記第２のステーションの前記動作チャネルは、重複しない、請求項１又は２に記載のアクセスポイント。
【請求項４】
前記第１のステーションの前記動作チャネルを用いて前記データを受信する前に、前記第１のステーションに第１のシグナリングを送信するように構成されるシグナリング送信ユニットであって、前記第１のシグナリングは、前記帯域幅電力節約モードを有効にするように指示し且つ前記第１のステーションが利用可能な第１のチャネルセットを示すのに用いられ、前記第１のチャネルセットのチャネルの総帯域幅は、前記アクセスポイントの前記利用可能チャネルの帯域幅よりも小さい、シグナリング送信ユニット、
を更に備える、請求項１に記載のアクセスポイント。
【請求項５】
前記第１のステーションの前記動作チャネルを用いて前記データを受信する前に、前記第１のステーションから前記帯域幅電力節約モードを有効にするための要求を受信するように構成される受信ユニットであって、前記要求は、前記第１のステーションによって要求された前記帯域幅電力節約モードでの利用可能チャネルである第２のチャネルセットを搬送する、受信ユニットと、
前記第１のステーションに要求応答を送信するように構成される応答ユニットであって、前記要求応答は第３のチャネルセットを搬送し、前記第２のチャネルセットのチャネルの総帯域幅は前記アクセスポイントの前記利用可能チャネルの帯域幅より小さく、前記第３のチャネルセットのチャネルの総帯域幅は、前記アクセスポイントの前記利用可能チャネルの前記帯域幅よりも小さい、応答ユニットと、
を更に備える、請求項１に記載のアクセスポイント。
【請求項６】
前記帯域幅電力節約モードの前記ステーションに更新命令を送信するように構成される更新命令送信ユニットであって、前記更新命令は、前記アクセスポイントにより前記帯域幅電力節約モードの前記ステーションに対して割り当てられる更新後チャネルセットを示し、前記更新後チャネルセットのチャネルの総帯域幅は、前記アクセスポイントの前記利用可能チャネルの前記帯域幅よりも小さく、前記更新後チャネルセットは、前記帯域幅電力節約モードの前記ステーションの更新前チャネルセットとは異なる、更新命令送信ユニット、
を更に備える、請求項１乃至３のいずれか一項に記載のアクセスポイント。
【請求項７】
１以上の第２のステーションが存在する、請求項１乃至６のいずれか一項に記載のアクセスポイント。
【請求項８】
前記第１のデータ通信ユニットは、前記第１のステーションの前記動作チャネルを用いて、物理レイヤプロトコルデータユニットＰＰＤＵを前記第１のステーションへ送信するよう更に構成され、前記ＰＰＤＵは、サービスデータ、前記第１のステーションのデータ受信方法を示すために使用される指示シグナリング、前記第１のステーションの前記動作チャネルを示すために使用されるプリアンブル、及び前記第１のステーションのデータ送信リソースを示すために使用される制御シグナリングを含み、
前記第２のデータ通信ユニットは、前記第２のステーションの前記動作チャネルを用いて、ＰＰＤＵを第２のステーションへ送信するよう更に構成され、前記ＰＰＤＵは、サービスデータ、前記第２のステーションのデータ受信方法を示すために使用される指示シグナリング、及び前記第２のステーションの前記動作チャネルを示すために使用されるプリアンブルを含む、
請求項１乃至７のいずれか一項に記載のアクセスポイント。
【請求項９】
アクセスポイントが、第１のステーションの動作チャネルを用いて前記第１のステーションにより所定の送信時点に送信開始するデータを受信するステップであって、前記第１のステーションは帯域幅電力節約モードを有効にし、前記第１のステーションの前記動作チャネルは、前記第１のステーションの利用可能チャネルであり、前記アクセスポイントの利用可能帯域幅リソースの一部を占有し、前記所定の送信時点は前記アクセスポイントにより指定される、ステップと、
前記アクセスポイントが、第２のステーションの動作チャネルを用いて前記第２のステーションにより前記所定の送信時点に送信開始するデータを受信するステップであって、前記第２のステーションの前記動作チャネルは、前記アクセスポイントの利用可能帯域幅リソースの別の部分を占有する、ステップ、と、
を含むデータ伝送方法。
【請求項１０】
前記第１のステーションの前記動作チャネルを用いて前記データを受信する前に、前記第１のステーションが前記所定の送信時点にデータを送信開始することを示す第１のトリガフレームを前記第１のステーションへ送信するステップと、
前記第２のステーションの前記動作チャネルを用いて前記データを受信する前に、前記第２のステーションが前記所定の送信時点にデータを送信開始することを示す第２のトリガフレームを前記第２のステーションへ送信するステップと、
を更に含む請求項９に記載の方法。
【請求項１１】
前記第１のステーションの前記動作チャネル及び前記第２のステーションの前記動作チャネルは、重複しない、請求項９又は１０に記載の方法。
【請求項１２】
前記第１のステーションの前記動作チャネルを用いて前記データを受信する前記ステップの前に、前記第１のステーションに第１のシグナリングを送信するステップであって、前記第１のシグナリングは、前記帯域幅電力節約モードを有効にするように指示し、及び前記第１のステーションが利用可能な第１のチャネルセットを示すのに用いられる、ステップ、を更に含み、
前記第１のチャネルセットのチャネルの総帯域幅は、前記アクセスポイントの前記利用可能チャネルの帯域幅よりも小さい、請求項９に記載の方法。
【請求項１３】
前記第１のステーションの前記動作チャネルを用いて前記データを受信する前記ステップの前に、前記方法は、
前記アクセスポイントが、前記帯域幅電力節約モードを有効にするための要求を前記第１のステーションから受信するステップであって、前記要求は、前記第１のステーションによって要求された前記帯域幅電力節約モードでの利用可能チャネルである第２のチャネルセットを搬送する、ステップと、
前記アクセスポイントが、前記第１のステーションに要求応答を送信するステップであって、前記要求応答は第３のチャネルセットを搬送し、前記第２のチャネルセットのチャネルの総帯域幅は、前記アクセスポイントの前記利用可能チャネルの帯域幅より小さく、前記第３のチャネルセットのチャネルの総帯域幅は、前記アクセスポイントの前記利用可能チャネルの前記帯域幅よりも小さい、ステップと、
を更に含む、請求項９に記載の方法。
【請求項１４】
前記アクセスポイントが、前記帯域幅電力節約モードの前記ステーションに更新命令を送信するステップであって、前記更新命令は、前記アクセスポイントにより前記帯域幅電力節約モードの前記ステーションに対して割り当てられる更新後チャネルセットを示し、前記更新後チャネルセットのチャネルの総帯域幅は、前記アクセスポイントの前記利用可能チャネルの前記帯域幅よりも小さく、前記更新後チャネルセットは、前記帯域幅電力節約モードの前記ステーションの更新前チャネルセットとは異なる、ステップ、
を含む、請求項９乃至１３のいずれか一項に記載の方法。
【請求項１５】
１以上の第２のステーションが存在する、請求項９乃至１４のいずれか一項に記載の方法。
【発明の詳細な説明】
【技術分野】
【０００１】
本発明は、通信分野に関し、特に、データ伝送方法、アクセスポイント及びステーションに関する。
【背景技術】
【０００２】
大きなシステムスループットの需要を満たすために、現在の通信システムでは、全てのステーション（station，ＳＴＡ）が８０ＭＨｚ伝送帯域幅モードをサポートするように強いられている。大きい帯域幅を使用することにより、ステーションは比較的短い時間でデータ伝送を完了して、データ伝送時間を短縮し、データ伝送電力及び受信電力を低減することができる。しかしながら、アップリンクとダウンリンクデータの伝送の需要が比較的低いとき、データ伝送に使用される大きな帯域幅はほとんどの時間アイドル状態にある。この場合、ステーションはチャネルを継続的にリッスンするので、アップリンク又はダウンロードの伝送の需要があるときは、リッスンにより得られたチャネル状況に応じて、データ伝送をおこなえるか否かを決定する。チャネル状況は、「チャネルアイドル」と「チャネルビジー」を含む。間違いなく、比較的広いチャネルを継続的にリッスンするプロセスにより、ステーションの消費電力が大幅に増大してしまう。更に、ステーションの抗干渉能力は弱い。
【０００３】
これに基づいて、従来技術では、動作中のステーションにより帯域幅を動的に調整する方法が導入されている。具体的には、アップリンクとダウンリンクのデータ伝送の需要が比較的低いときには、ステーションは、該ステーションによってサポートされる８０ＭＨｚ伝送帯域幅モードを帯域幅電力節約モード（Bandwidth  Power  Saving  Mode，BW  PS  mode）に切り替え、動作モード通知フレーム（Operating  Mode  Notification  frame）を送信することにより、現在該ステーションによりサポートされている帯域幅モードをアクセスポイントに通知する。帯域幅電力節約モードとは、利用可能な帯域幅が８０ＭＨｚ未満である（例えば、利用可能な帯域幅が２０ＭＨｚ、４０ＭＨｚ又は６０ＭＨｚである場合）帯域幅モードを意味する。帯域幅電力節約モードでは、ステーションがデータ伝送をおこなうチャネルはプライマリチャネルを含む。
ＵＳ２０１３０１９５０３６は、無線通信ネットワークにおける狭帯域チャネル選択のためのシステム、方法及び装置を開示している。一態様では、無線通信装置は、受信機、プロセッサ、及び送信機を含む。受信機は、第１装置から複数のチャネルを介してメッセージを無線で受信するよう構成される。プロセッサは、第１装置から各チャネルを介して受信した１つのメッセージに基づき各チャネルの品質を推定し、各チャネルの推定品質に基づき、無線通信のために複数のチャネルのうちの第１チャネルを選択し、無線通信のための第１チャネルの選択を示す選択メッセージを準備するよう構成される。送信機は、選択メッセージを第１装置へ送信するよう構成される。
ＷＯ２００９１５８２２８は、１より多くの技術を用いる無線通信のために構成されたネットワークアダプタを含む機器を開示する。ネットワークアダプタは、共有ハードウェアコンポーネントを所有する１つの通信をプライマリ通信として指定することにより、及び全ての他の通信はセカンダリ通信であり、無線によるアクセスを所与の時間にのみ１つの通信に限定することにより複数の共有ハードウェアコンポーネントを共有するよう構成される。プライマリ通信は、アイドル状態であるとき、セカンダリ通信が共有ハードウェアコンポーネントを使用することを許容するが、プライマリ通信がアイドル状態から復帰すると、共有リソースの所有権を主張し、セカンダリ通信は共有リソースを解放する。
ＥＰ２８５８４３７は、認知無線システム、そのリソース割り当て機器、及びそのための方法を開示する。リソース割り当て機器は、プライマリ通信システムの無線リソースにおける送信機会の利用可能性を評価するために使用される送信機会評価装置、送信機会の利用可能性の評価結果に基づき、認知無線システムにおける各セカンダリユーザのための送信機会選択ベクトルを設定するために使用されるベクトル生成装置であって、送信機会選択ベクトルは利用可能であると評価された複数の送信機会を識別する情報を含む、ベクトル生成装置、及び送信機会選択ベクトルをセカンダリユーザへ配信するために使用される送信装置、を含む。
ＥＰ２５９５４２５は、端末及び基地局、該端末及び基地局においてそれぞれ実行される受信及び送信方法を開示する。特に、この発明は端末のために２つの動作帯域幅、一方はセル帯域幅、つまりセルが動作し得る帯域幅、及び他方はセル帯域幅より低く電力節約帯域幅と呼ばれる帯域幅、を提供することによる電力消費の低減に関する。端末は、セル帯域幅においてシステム情報の受信を含む初期セル探索を実行し、及び電力節約帯域において他の受信／送信／関し動作を実行して良い。したがって、低コスト端末実装が可能になり、これは特に機械通信端末にとって有利である。
ＥＰ２３０９６６２は、マルチキャリアを用いる通信システムにおける電力節約のためのマルチキャリアリソース利用方法及び機器を開示する。ここで、端末と基地局との間でデータトラフィックを送信し及び受信するセカンダリキャリアの活性化は、端末と基地局との間のデータトラフィック状態、最大持続トラフィックレート、最大トラフィックバーストサイズ、等のようなＱｏＳ（Quality  of  Service）要件に従い決定され、活性化されるセカンダリキャリアを通じてデータトラフィックを送信し及び受信するために、これを示す指示メッセージ（Indication）が端末へプライマリキャリアを通じて転送される。
【０００４】
上記の方法により、アップリンクとダウンリンクのデータ伝送の需要が比較的低いときは、ある程度、ステーションのチャネルリスニング電力消費を低減することができる。しかしながら、帯域幅電力節約モードのアクセスポイントとステーションとの間でデータを伝送する必要がある場合、前記帯域幅電力節約モードの前記ステーションがプライマリチャネルを占有しているので、プライマリチャネルを占有しているステーションとの通信中、アクセスポイントはこのステーションとしかデータ伝送をおこなうことができない。また、アクセスポイントは、このステーションの動作チャネルを用いることでしか、ステーションに対してデータ伝送をおこなうことができない。ステーションは帯域幅電力節約モードにあるので、アクセスポイントについて言えば、このステーションの動作チャネルは、アクセスポイントの利用可能な帯域幅リソースの一部を占有するに過ぎず、このステーションの動作チャネルを除く全ての帯域幅リソースが無駄になってしまう。これにより、アクセスポイントのリソース利用率が低下してしまう。
【発明の概要】
【０００５】
帯域幅電力節約モードのステーションがプライマリチャネルを占有しており、アクセスポイントが、プライマリチャネルを占有しているステーションとの通信中に、該ステーションとしかデータ伝送をおこなうことができないために、アクセスポイントのリソース利用率が低いという問題を解決するために、本願は、データ伝送方法、アクセスポイント及びステーションを提供する。
【０００６】
上記の目的を達成するために、本願は以下の技術的解決策を提供する。
【０００７】
本願の第１の態様は、データ伝送方法を提供する。本方法は、
アクセスポイントが、第１のステーションと、第１のステーションの動作チャネルを用いてデータ伝送をおこなうステップであって、第１のステーションは帯域幅電力節約モードを有効にし、第１のステーションの動作チャネルは、第１のステーションの利用可能チャネルである、ステップと、
アクセスポイントが第１のステーションと第１のステーションの動作チャネルを用いてデータ伝送をおこなうとき、アクセスポイントが、第２のステーションと、第２のステーションの動作チャネルを用いてデータ伝送をおこなうステップであって、第１のステーションの動作チャネルと第２のステーションの動作チャネルとは、アクセスポイントの利用可能チャネルの全部又は一部を形成する、ステップと、
を含む。
【０００８】
第１の態様に関して、第１の態様の第１の実施では、アクセスポイントが第１のステーションと第１のステーションの動作チャネルを用いてデータ伝送をおこなうステップの前に、本方法は更に、アクセスポイントが、第１のステーションに、帯域幅電力節約モードを有効にするように指示するステップを含み、
アクセスポイントが第１のステーションに帯域幅電力節約モードを有効にするように指示するステップのプロセスは、具体的には、
アクセスポイントが第１のシグナリングを送信するステップであって、第１のシグナリングは、帯域幅電力節約モードを有効にするように指示し且つ第１のステーションが利用可能な第１のチャネルセットを示すのに用いられ、第１のチャネルセットのチャネルの総帯域幅は、アクセスポイントの利用可能チャネルの帯域幅よりも小さい、ステップ、
を含む。
【０００９】
第１の態様に関して、第１の態様の第２の実施ではアクセスポイントが第１のステーションと第１のステーションの動作チャネルを用いてデータ伝送をおこなうステップの前に、本方法は更に、
アクセスポイントが、帯域幅電力節約モードを有効にするための要求を第１のステーションから受信するステップであって、要求は第２のチャネルセットを搬送し、第２のチャネルセットは、アクセスポイントから第１のステーションによって要求された、帯域幅電力節約モードでの利用可能チャネルであり、第２のチャネルセットのチャネルの総帯域幅は、アクセスポイントの利用可能チャネルの帯域幅よりも小さい、ステップと、
アクセスポイントが、第１のステーションに要求応答を送信するステップであって、要求応答は第３のチャネルセットを搬送し、第３のチャネルセットのチャネルの総帯域幅は、アクセスポイントの利用可能チャネルの帯域幅よりも小さい、ステップと、
を含む。
【００１０】
第１の態様、第１の態様の第１の実施、又は第１の態様の第２の実施に関して、第１の態様の第３の実施では、本方法は更に、
アクセスポイントが、帯域幅電力節約モードのステーションに更新命令を送信するステップであって、更新命令は、アクセスポイントにより帯域幅電力節約モードのステーションに対して割り当てられる更新後チャネルセットを示すのに用いられ、更新後チャネルセットのチャネルの総帯域幅は、アクセスポイントの利用可能チャネルの帯域幅よりも小さく、更新後チャネルセットは、帯域幅電力節約モードのステーションの更新前チャネルセットとは異なる、ステップ、
を含む。
【００１１】
第１の態様、第１の態様の第１の実施、第１の態様の第２の実施、又は第１の態様の第３の実施に関して、第１の態様の第４の実施では、アクセスポイントが第１のステーションと第１のステーションの動作チャネルを用いてデータ伝送をおこなうステップは、
アクセスポイントが、第１のステーションの動作チャネルを用いて、第１のステーションにより所定の送信時点に送信開始されるデータを受信するステップであって、所定の送信時点はアクセスポイントによって指定される、ステップ、
を含み、
アクセスポイントが、第２のステーションと、第２のステーションの動作チャネルを用いてデータ伝送をおこなうステップは、
アクセスポイントが、第２のステーションの動作チャネルを用いて、第２のステーションにより所定の送信時点に送信開始されるデータを受信するステップ、
を含む。第１のステーションの動作チャネルは、第１のステーションの帯域幅電力節約モードにおけるチャネルセットのサブセットであり、第２のステーションが帯域幅電力節約モードを有効するとき、第２のステーションの動作チャネルは、第２のステーションの帯域幅電力節約モードにおけるチャネルセットのサブセットであり、第１のステーションの動作チャネルと第２のステーションの動作チャネルとは重複しない。
【００１２】
第１の態様の第４の実施に関して、第１の態様の第５の実施では、アクセスポイントが第１のステーションと第１のステーションの動作チャネルを用いてデータ伝送をおこなうステップの前に、本方法は更に、
アクセスポイントが、第１のステーションに、第１のステーションの動作チャネルを示すのに用いられる第１のトリガフレームを送信するステップと、
アクセスポイントが第２のステーションと第２のステーションの動作チャネルを用いてデータ伝送をおこなう前に、第２のステーションに、第２のステーションの動作チャネルを示すのに用いられる第２のトリガフレームを送信するステップであって、第１のトリガフレームは、第１のステーションを所定の送信時点でデータを送信開始するようにトリガするのに用いられ、第２のトリガフレームは、第２のステーションを所定の送信時点でデータを送信開始するようにトリガするのに用いられる、ステップと、
を含む。
【００１３】
第１の態様、第１の態様の第１の実施、第１の態様の第２の実施、第１の態様の第３の実施、第１の態様の第４の実施、又は第１の態様の第５の実施に関して、第１の態様の第６の実施では、アクセスポイントが第１のステーションと第１のステーションの動作チャネルを用いてデータ伝送をおこなうステップは、
アクセスポイントが、第１のステーションの動作チャネルを用いて、第１のステーションに物理層プロトコルデータユニット（ＰＰＤＵ）を送信するステップであって、ＰＰＤＵは、サービスデータと、第１のステーションのデータ受信方式を示すのに用いられる指示シグナリングと、第１のステーションの動作チャネルを示すのに用いられるプリアンブルと、第１のステーションのデータ送信リソースを示すのに用いられる制御シグナリングとを含む、ステップ、
を含み、
アクセスポイントが、第２のステーションと、第２のステーションの動作チャネルを用いてデータ伝送をおこなうステップは、
アクセスポイントが、第２のステーションの動作チャネルを用いて、第２のステーションにＰＰＤＵを送信するステップであって、ＰＰＤＵが、サービスデータと、第２のステーションのデータ受信方式を示すのに用いられる指示シグナリングと、第２のステーションの動作チャネルを示すのに用いられるプリアンブルとを含む、ステップ、
を含む。第１のステーションの動作チャネルは、第１のステーションの帯域幅電力節約モードにおけるチャネルセットのサブセットであり、第２のステーションが帯域幅電力節約モードを有効するとき、第２のステーションの動作チャネルは、第２のステーションの帯域幅電力節約モードにおけるチャネルセットのサブセットであり、第２のステーションの帯域幅電力節約モードにおけるチャネルセットのサブセットは、第２のステーションの動作チャネルであり、第１のステーションの動作チャネルと第２のステーションの動作チャネルとは重複しない。
【００１４】
第１の態様、第１の態様の第１の実施、第１の態様の第２の実施、第１の態様の第３の実施、第１の態様の第４の実施、第１の態様の第５の実施、又は第１の態様の第６の実施に関して、第１の態様の第７の実施では、１以上の第２のステーションが存在する。
【００１５】
本願の第２の態様は、データ伝送方法を提供する。本方法は、
ステーションが、帯域幅電力節約モードを有効にするステップと、
帯域幅電力節約モードを有効にしたステーションが、動作チャネルを用いてアクセスポイントとデータ伝送をおこなうステップであって、動作チャネルは、帯域幅電力節約モードにおけるステーションの利用可能チャネルであり、アクセスポイントは、ステーションとデータ伝送をおこなうときに、第２のステーションの動作チャネルを用いて、第２のステーションとデータ伝送をおこなうように構成され、ステーションの動作チャネルと第２のステーションの動作チャネルとは、アクセスポイントの利用可能チャネルの全部又は一部を形成する、ステップと、
を含む。
【００１６】
第２の態様に関して、第２の態様の第１の実施では、ステーションが帯域幅電力節約モードを有効にするステップは、
ステーションが、アクセスポイントに要求を送信するステップであって、要求は第４のチャネルセットを搬送し、第４のチャネルセットは、アクセスポイントからステーションによって要求された利用可能チャネルであり、第４のチャネルセットのチャネルの総帯域幅は、アクセスポイントの利用可能チャネルの帯域幅よりも小さい、ステップと、
ステーションが、アクセスポイントによって送信された要求応答を受信するステップであって、要求応答は第５のチャネルセットを搬送し、第５のチャネルセットのチャネルの総帯域幅は、アクセスポイントの利用可能チャネルの帯域幅よりも小さい、ステップと、
を含む。
【００１７】
第２の態様に関して、第２の態様の第２の実施では、ステーションが帯域幅電力節約モードを有効にするステップは、
ステーションが、アクセスポイントによって送信された第２のシグナリングを受信するステップであって、第２のシグナリングは、ステーションに帯域幅電力節約モードを有効にするように指示し且つステーションが利用可能な第６のチャネルセットを示すのに用いられ、第６のチャネルセットのチャネルの総帯域幅は、アクセスポイントの利用可能チャネルの帯域幅よりも小さい、ステップ、
を含む。
【００１８】
第２の態様、第２の態様の第１の実施、又は第２の態様の第２の実施に関して、第２の態様の第３の実施では、ステーションが帯域幅電力節約モードを有効にするステップの後に、本方法は更に、
ステーションが、アクセスポイントに更新要求を送信するステップであって、更新要求は第７のチャネルセットを搬送し、第７のチャネルセットのチャネルの総帯域幅は、アクセスポイントの利用可能チャネルの帯域幅よりも小さく、第７のチャネルセットは、帯域幅電力節約モードのステーションの更新前チャネルセットとは異なる、ステップと、
ステーションが、アクセスポイントによって返された更新要求に対する応答を受信するステップであって、応答は、ステーションのチャネルセットを第７のチャネルセットに変更するように指示するのに用いられる、ステップと、
を含む。
【００１９】
第２の態様、第２の態様の第１の実施、又は第２の態様の第２の実施に関して、第２の態様の第４の実施では、ステーションが帯域幅電力節約モードを有効にするステップの後に、本方法は更に、
ステーションが、アクセスポイントによって送信された更新命令を受信するステップであって、更新命令は、アクセスポイントによりステーションに割り当てられる更新後チャネルセットを示すのに用いられ、更新後チャネルセットのチャネルの総帯域幅は、アクセスポイントの利用可能チャネルの帯域幅よりも小さく、更新後チャネルセットは、帯域幅電力節約モードのステーションの更新前チャネルセットとは異なる、ステップ、
を含む。
【００２０】
本願の第３の態様はアクセスポイントを提供する。本アクセスポイントは、
第１のステーションの動作チャネルを用いて、第１のステーションとデータ伝送をおこなうように構成される第１のデータ伝送ユニットであって、第１のステーションは帯域幅電力節約モードを有効にし、第１のステーションの動作チャネルは、第１のステーションの利用可能チャネルである、第１のデータ伝送ユニットと、
第１のステーションの動作チャネルを用いて第１のステーションとのデータ伝送がおこなわれるとき、第２のステーションの動作チャネルを用いて、第２のステーションとデータ伝送をおこなうように構成される第２のデータ伝送ユニットであって、第１のステーションの動作チャネルと第２のステーションの動作チャネルとは、アクセスポイントの利用可能チャネルの全部又は一部を形成する、第２のデータ伝送ユニットと、
を備える。
【００２１】
第３の態様に関して、第３の態様の第１の実施では、アクセスポイントは更に、
第１のステーションの動作チャネルを用いて第１のステーションとのデータ伝送がおこなわれる前に、第１のステーションに第１のシグナリングを送信するように構成されるシグナリング送信ユニットであって、第１のシグナリングは、帯域幅電力節約モードを有効にするように指示し且つ第１のステーションが利用可能な第１のチャネルセットを示すのに用いられ、第１のチャネルセットのチャネルの総帯域幅は、アクセスポイントの利用可能チャネルの帯域幅よりも小さい、シグナリング送信ユニット、
を備える。
【００２２】
第３の態様に関して、第３の態様の第２の実施では、アクセスポイントは更に、
第１のステーションの動作チャネルを用いて第１のステーションとのデータ伝送がおこなわれる前に、第１のステーションから帯域幅電力節約モードを有効にするための要求を受信するように構成される受信ユニットであって、要求は第２のチャネルセットを搬送し、第２のチャネルセットは、アクセスポイントから第１のステーションによって要求された、帯域幅電力節約モードでの利用可能チャネルであり、第２のチャネルセットのチャネルの総帯域幅は、アクセスポイントの利用可能チャネルの帯域幅よりも小さい、受信ユニットと、
第１のステーションに要求応答を送信するように構成される応答ユニットであって、要求応答は第３のチャネルセットを搬送し、第３のチャネルセットのチャネルの総帯域幅は、アクセスポイントの利用可能チャネルの帯域幅よりも小さい、応答ユニットと、
を備える。
【００２３】
第３の態様、第３の態様の第１の実施、又は第３の態様の第２の実施に関して、第３の態様の第３の実施では、アクセスポイントは更に、
帯域幅電力節約モードのステーションに更新命令を送信するように構成される更新命令送信ユニットであって、更新命令は、アクセスポイントにより帯域幅電力節約モードのステーションに対して割り当てられる更新後チャネルセットを示すのに用いられ、更新後チャネルセットのチャネルの総帯域幅は、アクセスポイントの利用可能チャネルの帯域幅よりも小さく、更新後チャネルセットは、帯域幅電力節約モードのステーションの更新前チャネルセットとは異なる、更新命令送信ユニット、
を備える。
【００２４】
第３の態様、第３の態様の第１の実施、第３の態様の第２の実施、又は第３の態様の第３の実施に関して、第３の態様の第４の実施では、第１のデータ伝送ユニットが、第１のステーションの動作チャネルを用いて、第１のステーションとデータ伝送をおこなうように構成されることは、
第１のデータ伝送ユニットが、具体的には、第１のステーションの動作チャネルを用いて、第１のステーションにより所定の送信時点に送信開始されるデータを受信するように構成されることであって、所定の送信時点はアクセスポイントによって指定されること、
を含み、
第２のデータ伝送ユニットが、第２のステーションの動作チャネルを用いて、第２のステーションとデータ伝送をおこなうように構成されることは、
第２のデータ伝送ユニットが、具体的には、第２のステーションの動作チャネルを用いて、第２のステーションにより所定の送信時点に送信開始されるデータを受信するように構成されること、
を含む。第１のステーションの動作チャネルは、第１のステーションの帯域幅電力節約モードにおけるチャネルセットのサブセットであり、第２のステーションが帯域幅電力節約モードを有効するとき、第２のステーションの動作チャネルは、第２のステーションの帯域幅電力節約モードにおけるチャネルセットのサブセットであり、第１のステーションの動作チャネルと第２のステーションの動作チャネルとは重複しない。
【００２５】
第３の態様の第４の実施に関して、第３の態様の第５の実施では、アクセスポイントは更に、
第１のデータ伝送ユニットが第１のステーションの動作チャネルを用いて第１のステーションとデータ伝送をおこなう前に、第１のステーションに、第１のステーションの動作チャネルを示すのに用いられる第１のトリガフレームを送信し、第２のステーション伝送ユニットが第２のステーションの動作チャネルを用いて第２のステーションとデータ伝送をおこなう前に、第２のステーションに、第２のステーションの動作チャネルを示すのに用いられる第２のトリガフレームを送信するように構成されるトリガフレーム送信ユニットであって、第１のトリガフレームは、第１のステーションを所定の送信時点でデータを送信開始するようにトリガするのに用いられ、第２のトリガフレームは、第２のステーションを所定の送信時点でデータを送信開始するようにトリガするのに用いられる、トリガフレーム送信ユニット、
を備える。
【００２６】
第３の態様、第３の態様の第１の実施、第３の態様の第２の実施、第３の態様の第３の実施、第３の態様の第４の実施、又は第３の態様の第５の実施に関して、第３の態様の第６の実施では、第１のデータ伝送ユニットが、第１のステーションの動作チャネルを用いて、第１のステーションとデータ伝送をおこなうように構成されることは、
第１のデータ伝送ユニットが、具体的には、第１のステーションの動作チャネルを用いて、第１のステーションに物理層プロトコルデータユニット（ＰＰＤＵ）を送信するように構成されることであって、ＰＰＤＵは、サービスデータと、第１のステーションのデータ受信方式を示すのに用いられる指示シグナリングと、第１のステーションの動作チャネルを示すのに用いられるプリアンブルと、第１のステーションのデータ送信リソースを示すのに用いられる制御シグナリングとを含むこと、
を含み、
第２のデータ伝送ユニットが、第２のステーションの動作チャネルを用いて、第２のステーションとデータ伝送をおこなうように構成されることは、
第２のデータ伝送ユニットが、具体的には、第２のステーションの動作チャネルを用いて、第２のステーションにＰＰＤＵを送信するように構成されることであって、ＰＰＤＵが、サービスデータと、第２のステーションのデータ受信方式を示すのに用いられる指示シグナリングと、第２のステーションの動作チャネルを示すのに用いられるプリアンブルとを含むこと、
を含む。第１のステーションの動作チャネルは、第１のステーションの帯域幅電力節約モードにおけるチャネルセットのサブセットであり、第２のステーションが帯域幅電力節約モードを有効するとき、第２のステーションの動作チャネルは、第２のステーションの帯域幅電力節約モードにおけるチャネルセットのサブセットであり、第２のステーションの帯域幅電力節約モードにおけるチャネルセットのサブセットは、第２のステーションの動作チャネルであり、第１のステーションの動作チャネルと第２のステーションの動作チャネルとは重複しない。
【００２７】
第３の態様、第３の態様の第１の実施、第３の態様の第２の実施、第３の態様の第３の実施、第３の態様の第４の実施、第３の態様の第５の実施、又は第３の態様の第６の実施に関して、第３の態様の第７の実施では、第２のデータ伝送ユニットが、第２のステーションの動作チャネルを用いて、第２のステーションとデータ伝送をおこなうように構成されることは、
第２のデータ伝送ユニットが、具体的には、第２のステーションの動作チャネルを用いて、第２のステーションとデータ伝送をおこなうように構成されることであって、１以上の第２のステーションが存在すること、
を含む。
【００２８】
本願の第４の態様はステーションを提供する。本ステーションは、
帯域幅電力節約モードを有効にするように構成される帯域幅電力節約モード有効化ユニット、
を備える。帯域幅電力節約モードを有効にするステーションは、動作チャネルを用いてアクセスポイントとデータ伝送をおこない、動作チャネルは、帯域幅電力節約モードにおけるステーションの利用可能チャネルであり、アクセスポイントは、ステーションとデータ伝送をおこなうときに、第２のステーションの動作チャネルを用いて、第２のステーションとデータ伝送をおこなうように構成され、ステーションの動作チャネルと第２のステーションの動作チャネルとは、アクセスポイントの利用可能チャネルの全部又は一部を形成する。
【００２９】
第４の態様に関して、第４の態様の第１の実施では、帯域幅電力節約モード有効化ユニットは、
アクセスポイントに要求を送信するように構成される要求送信サブユニットであって、要求は第４のチャネルセットを搬送し、第４のチャネルセットは、アクセスポイントからステーションによって要求された利用可能チャネルであり、第４のチャネルセットのチャネルの総帯域幅は、アクセスポイントの利用可能チャネルの帯域幅よりも小さい、要求送信サブユニットと、
アクセスポイントによって送信された要求応答を受信するように構成される受信サブユニットであって、要求応答は第５のチャネルセットを搬送し、第５のチャネルセットのチャネルの総帯域幅は、アクセスポイントの利用可能チャネルの帯域幅よりも小さい、受信サブユニットと、
を有する。
【００３０】
第４の態様に関して、第４の態様の第２の実施では、帯域幅電力節約モード有効化ユニットが帯域幅電力節約モードを有効にするように構成されることは、
帯域幅電力節約モード有効化ユニットが、具体的には、アクセスポイントによって送信された第２のシグナリングを受信するように構成されることであって、第２のシグナリングは、ステーションに帯域幅電力節約モードを有効にするように指示し且つステーションが利用可能な第６のチャネルセットを示すのに用いられ、第６のチャネルセットのチャネルの総帯域幅は、アクセスポイントの利用可能チャネルの帯域幅よりも小さいこと、
を含む。
【００３１】
第４の態様、第４の態様の第１の実施、又は第４の態様の第２の実施に関して、第４の態様の第３の実施では、ステーションは更に、
ステーションが帯域幅電力節約モードを有効にした後、アクセスポイントに更新要求を送信するように構成される更新要求送信ユニットであって、更新要求は第７のチャネルセットを搬送し、第７のチャネルセットのチャネルの総帯域幅は、アクセスポイントの利用可能チャネルの帯域幅よりも小さく、第７のチャネルセットは、帯域幅電力節約モードのステーションの更新前チャネルセットとは異なる、更新要求送信ユニットと、
アクセスポイントによって返された更新要求に対する応答を受信するように構成される更新命令受信ユニットであって、応答は、ステーションのチャネルセットを第７のチャネルセットに変更するように指示するのに用いられる、更新命令受信ユニットと、
を備える。
【００３２】
第４の態様、第４の態様の第１の実施、又は第４の態様の第２の実施に関して、第４の態様の第４の実施では、更新命令受信ユニットは更に、
ステーションが帯域幅電力節約モードを有効にした後、アクセスポイントによって送信された更新命令を受信するように構成される。更新命令は、アクセスポイントによりステーションに割り当てられる更新後チャネルセットを示すのに用いられ、更新後チャネルセットのチャネルの総帯域幅は、アクセスポイントの利用可能チャネルの帯域幅よりも小さく、更新後チャネルセットは、帯域幅電力節約モードのステーションの更新前チャネルセットとは異なる。
【００３３】
本願で提供されるデータ伝送方法によれば、アクセスポイントは、帯域幅電力節約モードの第１のステーションと第１のステーションの動作チャネルを用いてデータ伝送をおこなうとき、第２のステーションの動作チャネルを用いて、第２のステーションとデータ伝送をおこなう。第１のステーションの動作チャネルがプライマリチャネルを含んでいても、アクセスポイントは更に別のチャネルを用いて、第２のステーションとデータ伝送をおこなうことができる。更に、アクセスポイントについては、第１のステーションの動作チャネルはアクセスポイントの利用可能な帯域幅リソースの一部のみを占有するが、アクセスポイントは別のチャネルを用いて第２のステーションとデータ伝送をおこなうことができる。このように、第１のステーションの動作チャネルを除くアクセスポイントの全ての帯域幅リソースを同時にデータ伝送に利用することができ、アクセスポイントのリソース利用率を向上させることができる。
【図面の簡単な説明】
【００３４】
本発明の実施形態又は先行技術の技術的解決策をより明確に説明するために、以下、実施形態又は従来技術を説明するために必要な添付図面を簡単に説明する。当然ながら、以下の説明における添付図面は本発明の一部の実施形態を示すに過ぎない。当業者は、創意工夫なしにこれらの添付図面から他の図面を得ることができる。
【図１】ＷＬＡＮ配置シナリオにおけるシステムの概略図である。
【図２】本願の実施形態に係るデータ伝送方法の概略フローチャートである。
【図３】本願の実施形態に係る別のデータ伝送方法の概略フローチャートである。
【図４】本願の実施形態に係る別のデータ伝送方法の概略フローチャートである。
【図５】本願に係る物理層プロトコルデータの概略図である。
【図６】本願に係る物理層プロトコルデータの別の概略図である。
【図７】本願の実施形態に係るアクセスポイントの概略構造図である。
【図８】本願の実施形態に係るステーションの概略構造図である。
【発明を実施するための形態】
【００３５】
本願の解決策は、無線ローカルエリアネットワーク（Wireless  Local  Area  Network，ＷＬＡＮ）に適用することができる。現在、ＷＬＡＮによって用いられる規格は、電気電子技術者協会（Institute  of  Electrical  and  Electronics  Engineers，ＩＥＥＥ）８０２．１１シリーズである。ＷＬＡＮは、複数の基本サービスセット（Basic  Service  Set，ＢＳＳ）を含み、基本サービスセット内のネットワークノードはステーション（Station，ＳＴＡ）である。
【００３６】
ステーションは、アクセスポイント（Access  Point，ＡＰ）及び非アクセスポイントステーション（Non-Access  Point  Station，Non-AP  STA）としても知られるアクセスポイントステーションを含む。各基本サービスセットは、ＡＰに関連する１つのＡＰ及び複数のNon-AP  STAを含むことができる。
【００３７】
典型的なカバレッジ半径が数十〜数百メートルであるＡＰは、主に家庭内、建物内、キャンパス内に配置される。当然ながら、ＡＰは屋外に配置することもできる。有線ネットワークと無線ネットワークを接続するブリッジに相当するＡＰは、主に、様々な無線ネットワーククライアントを共に接続してから、無線ネットワークをイーサネットに接続するのに用いられる。具体的には、ＡＰは、ワイヤレス・フィディリティ（Wireless  Fidelity，ＷｉＦｉ）チップを有する端末装置又はネットワーク装置であってよい。任意に、ＡＰは、８０２．１１ａｘ規格をサポートする装置であってよい。更に任意に、ＡＰは、８０２．１１ａｃ、８０２．１１ｎ、８０２．１１ｇ、８０２．１１ｂ、８０２．１１ａ等の、様々なＷＬＡＮ規格をサポートする装置であってよい。
【００３８】
非アクセスポイントステーションは、無線通信チップ、無線センサ又は無線通信端末であってよく、例えば、ＷｉＦｉ通信をサポートする携帯電話、ＷｉＦｉ通信をサポートするタブレットＰＣ、ＷｉＦｉ通信をサポートするセットトップボックス、ＷｉＦｉ通信をサポートするスマートＴＶ、ＷｉＦｉ通信をサポートするスマートウェアラブル装置、ＷｉＦｉ通信をサポートする車載通信機器、ＷｉＦｉ通信をサポートするコンピュータであってよい。任意に、ステーションは８０２．１１ａｘ規格をサポートすることができる。更に任意に、ステーションは、８０２．１１ａｃ、８０２．１１ｎ、８０２．１１ｇ、８０２．１１ｂ、８０２．１１ａ等、様々なＷＬＡＮ規格をサポートする。
【００３９】
図１は、典型的なＷＬＡＮ配置シナリオにおけるシステムの概略図である。このシナリオでは、１つのＡＰと３つのＳＴＡが含まれ、ＡＰは、ＳＴＡ１、ＳＴＡ２、ＳＴＡ３と別々に通信をおこなう。本システムでは、アクセスポイントによってサポートされる最大帯域幅は、電力節約モードのステーションによってサポートされる最大帯域幅よりも大きい。例えば、電力節約モードのステーションによってサポートされる最大帯域幅が２０ＭＨｚである場合、アクセスポイントによってサポートされる最大帯域幅は、４０ＭＨｚ、８０ＭＨｚ、１６０ＭＨｚ等であってよい。非電力節約モードのステーションでは、ステーションによってサポートされる最大帯域幅は、アクセスポイントによってサポートされる最大帯域幅よりも大きくないが、電力節約モードのステーションによってサポートされる最大帯域幅よりも大きい。例えば、電力節約モードのステーションによってサポートされる最大帯域幅が２０ＭＨｚであり、アクセスポイントによってサポートされる最大帯域幅が８０ＭＨｚ又は１６０ＭＨｚである場合、非電力節約モードのステーションによってサポートされる最大帯域幅は、８０ＭＨｚ又は１６０ＭＨｚ等であってよい。
【００４０】
以下、本発明の実施形態における技術的解決策について、本発明の実施形態における添付図面を参照して明瞭に説明する。当然ながら、記載される実施形態は、本発明の実施形態の全てではなく、一部に過ぎない。当業者が本発明の実施形態に基づいて創意工夫なしに得た他の実施形態は、全て本発明の保護範囲に含まれるものとする。
【００４１】
実施形態１
本願の実施形態はデータ伝送方法を提供する。図２に示されるように、本方法は以下のステップを含む。
【００４２】
Ｓ２０１．アクセスポイントが、第１のステーションの動作チャネルを用いて、第１のステーションとデータ伝送をおこなう。第１のステーションは帯域幅電力節約モードを有効にし、動作チャネルは第１のステーションの利用可能チャネルである。
【００４３】
Ｓ２０２．アクセスポイントが第１のステーションと第１のステーションの動作チャネルを用いてデータ伝送をおこなうとき、アクセスポイントが、第２のステーションの動作チャネルを用いて、第２のステーションとデータ伝送をおこなう。第１のステーションの動作チャネルと第２のステーションの動作チャネルとは、アクセスポイントの利用可能チャネルの全部又は一部を形成する。本発明で言及されるデータは、ＭＡＣ層及び上位層からのデータ、ＭＡＣ層管理フレーム並びにＭＡＣ層制御フレームのうちの１つ以上の組合わせ（収束）を含む。
【００４４】
本実施形態における第１のステーションは、帯域幅電力節約モードを有効にするステーションである。帯域幅電力節約モードは、最大利用可能伝送帯域幅がシステムの利用可能伝送帯域幅よりも小さいことを意味する。例えば、システムの伝送帯域幅が８０ＭＨｚである場合、帯域幅電力節約モードの伝送帯域幅は２０ＭＨｚ、４０ＭＨｚ又は６０ＭＨｚであってよい。当然ながら、これらに限定されない。すなわち、帯域幅電力節約モードを有効にするステーションの利用可能な伝送帯域幅は、システムの利用可能な伝送帯域幅よりも小さい。
【００４５】
本実施形態におけるデータ伝送は、データの受信及び送信を含む。したがって、アクセスポイントが動作チャネルを用いて第１のステーションとデータ伝送をおこなうことは、アクセスポイントが、動作チャネルを用いて、第１のステーションによって送信されたアップリンクデータを受信することと、アクセスポイントが、動作チャネルを用いて、第１のステーションにダウンリンクデータを送信することと、を含む。同様に、アクセスポイントが残りのチャネルを用いて第２のステーションとデータ伝送をおこなうことは、アクセスポイントが、残りのチャネルを用いて、第２のステーションによって送信されたアップリンクデータを受信することと、アクセスポイントが、残りのチャネルを用いて、第２のステーションにダウンリンクデータを送信することと、を含む。具体的なアップリンク又はダウンリンクの伝送プロセスについては、以下の実施形態で説明する。
【００４６】
本実施形態では、１つ以上の第２のステーションが存在してよい。第２のステーションが複数存在し、第１のステーションの動作チャネルと第２のステーションの動作チャネルがアクセスポイントの利用可能チャネルの一部であるとき、アクセスポイントは、第１のステーションと１つの第２のステーションにデータを送信するときに、同時に、別のチャネルを用いて別の第２のステーションとデータ伝送をおこなうことができる。第２のステーションの数は、システムチャネルの帯域幅によって伝送可能なデータ量と、アクセスポイントとステーションとの間で伝送されるデータ量とに従って、いっしょに決定されてよい。
【００４７】
本実施形態では、第２のステーションは、帯域幅電力節約モードを有効にしてもよいし、帯域幅電力節約モードを有効にしなくてもよい。
【００４８】
本発明の本実施形態で提供されるデータ伝送方法によれば、アクセスポイントは、帯域幅電力節約モードの第１のステーションと第１のステーションの動作チャネルを用いてデータ伝送をおこなうとき、第２のステーションの動作チャネルを用いて第２のステーションとデータ伝送をおこなう。すなわち、第２のステーションの動作チャネルは、第１のステーションの動作チャネルとは異なる別のチャネルである。したがって、第１のステーションの動作チャネルがプライマリチャネルを含んでいても、アクセスポイントは更に別のチャネルを用いて、第２のステーションとデータ伝送をおこなうことができる。更に、アクセスポイントについては、第１のステーションの動作チャネルはアクセスポイントの利用可能な帯域幅リソースの一部のみを占有するが、アクセスポイントは別のチャネルを用いて第２のステーションとデータ伝送をおこなうことができる。よって、第１のステーションの動作チャネルを除くアクセスポイントの全ての帯域幅リソースを同時にデータ伝送に利用することができる。これにより、アクセスポイントのリソース利用率を向上させることができる。
【００４９】
実施形態２
本願の実施形態は、別のデータ伝送方法を提供する。本実施形態では、アップリンク伝送の観点から更なる説明を提供する。具体的には、図３に示されるように、本方法は以下のステップを含む。
【００５０】
Ｓ３０１．アクセスポイントが、第１のステーションに第１のシグナリングを送信する。第１のシグナリングは、第１のステーションに帯域幅電力節約モードを有効にするように指示し且つ第１のステーションが利用可能な第１のチャネルセットを示すのに用いられる。第１のチャネルセットのチャネルの総帯域幅は、アクセスポイントの利用可能チャネルの帯域幅よりも小さい。
【００５１】
ステーションのバッテリー電力が比較的少なく、アプリケーション層がステーションに帯域幅電力節約モードを有効にするように指示し、アップリンク又はダウンリンクのデータ量が減少し、或いは複数のチャネルが大きな干渉を受け、一部のチャネルだけが良好な状態にあるとき、アクセスポイントは、帯域幅電力節約モードを有効にするようステーションを制御するためのプロセスを開始することができる。帯域幅電力節約モードを有効にするステーションは、ステーションがアクセスポイントと合意したチャネルセット（例えば第１のチャネルセット）でのみ、データをリッスン且つ／又は送信する。
【００５２】
本実施形態では、第１のシナグリングは第１のステーションの識別子を搬送し、第１のステーションの識別子と第１のチャネルセットとの間には１対１の対応関係がある。第１のシグナリングを受信した後、第１のステーションは、第１のステーションの識別子と第１のチャネルとの対応関係と、第１のステーションの識別子とに従って、第１のシグナリングによって示される第１のチャネルセットを決定する。
【００５３】
なお、アクセスポイントが第１のステーションを帯域幅電力節約モードを有効にするように制御したとき、アクセスポイントは、第１のステーションから確認応答ＡＣＫを得ることなく、第１のステーションが帯域幅電力節約モードを有効にし、第１のステーションの動作チャネルを用いてアクセスポイントとデータ伝送をおこなったとみなすことができる。その理由は、第１のステーションがアクセスポイントの指示どおりに帯域幅電力節約モードを有効にしていなくても、アクセスポイントは第１のステーションとのデータ伝送を正常におこなうことができるからである。
【００５４】
Ｓ３０２．アクセスポイントが、第２のステーションを帯域幅電力節約モードを有効にするように制御する。具体的には、制御方式についてはＳ３０１を参照することができる。
【００５５】
すなわち、本実施形態における第２のステーションもまた、帯域幅電力節約モードのステーションである。本実施形態では、アクセスポイントは、帯域幅電力節約モードの２つのステーションと同時にデータ伝送をおこなう。
【００５６】
前述の実施形態で説明したように、アクセスポイントが別のチャネルを用いて別のステーションともデータ伝送をおこなうとき、その別のステーションが帯域幅電力節約モードのステーションである場合、第１のシナグリングは、別のステーションの識別子を搬送してもよい。別のステーションが複数のステーションを含み、複数のステーションがグループステーションである場合、第１のシグナリングは、グループステーションのグループアドレスを搬送してよい。当然ながら、第１のシグナリングは代替としてブロードキャストアドレスを搬送してよい。ブロードキャストアドレスは、アクセスポイントによってサービス提供される全てのステーションに対応する。
【００５７】
なお、ステップＳ３０１とステップＳ３０２の実行順序は限定されない。すなわち、ステップＳ３０１はステップＳ３０２の前に実行されてもよいし、ステップＳ３０２の後に実行されてもよい。
【００５８】
Ｓ３０３．アクセスポイントが、第１のステーションに、第１のステーションの動作チャネルを示すのに用いられる第１のトリガフレームを送信し、第２のステーションに、第２のステーションの動作チャネルを示すのに用いられる第２のトリガフレームを送信する。
【００５９】
第１のトリガフレームは、第１のステーションを所定の送信時点でデータを送信開始するようにトリガするのに用いられる。第２のトリガフレームは、第２のステーションを所定の送信時点でデータを送信開始するようにトリガするのに用いられる。第１のステーションの動作チャネルは、第１のチャネルセットのサブセットである。第１のステーションの動作チャネルと第２のステーションの動作チャネルは、アクセスポイントの利用可能チャネルの一部又は全部である。
【００６０】
本実施形態のトリガフレームは、ステーションをアップリンクデータを送信するようにトリガするのに用いられる。トリガフレームは、第１のステーション及び第２のステーションへのデータ送信の開始時点を示すことにより、アップリンクデータを送信するためのタイムアライメントを実施する。
【００６１】
本実施形態では、アクセスポイントが第１のステーションに割り当てる第１のチャネルセットは、アクセスポイントが第２のステーションに割り当てるチャネルセットと同じであっても異なってもよい。しかしながら、２つのチャネルセットが同じであるかどうかに関わらず、ＦＤＭＡ方式（ＯＦＤＭＡ方式などの周波数分割多重アクセス）を用いる場合、データ送信中の２つのステーション間の衝突を避けるために、２つのチャネルセットは重なってはならない。別の方式（ＭＵ−ＭＩＭＯなど）を用いる場合、２つのチャネルセットのチャネルは重なってもよい。
【００６２】
本実施形態におけるチャネルセットのサブセットは、チャネルセット又はチャネルセットの一部を含む。
【００６３】
Ｓ３０４．第１のステーションが、第１のステーションの動作チャネルを用いて、所定の送信時点でアクセスポイントにデータを送信開始する。
【００６４】
Ｓ３０５．第２のステーションが、第２のステーションの動作チャネルを用いて、所定の送信時点でアクセスポイントにデータを送信開始する。
【００６５】
なお、ステップＳ３０４とステップＳ３０５の実行順序は限定されない。すなわち、ステップＳ３０４は、ステップＳ３０５の前に実行されてもよいし、ステップＳ３０５の後に実行されてもよい。
【００６６】
Ｓ３０６．アクセスポイントが、帯域幅電力節約モードのステーションに更新命令を送信する。更新命令は、アクセスポイントに、帯域幅電力節約モードのステーションに更新後チャネルセットを割り当てるように指示するのに用いられる。更新後チャネルセットのチャネルの総帯域幅は、アクセスポイントの利用可能チャネルの帯域幅よりも小さい。更新後チャネルセットは、帯域幅電力節約モードのステーションの更新前チャネルセットとは異なる。
【００６７】
本実施形態では、更新命令は、ステーションの電力節約モードを更新するのに用いられる。第１のステーションか第２のステーションかに関わらず、更新前チャネルセットは更新後チャネルセットとは異なる。具体的には、
更新前チャネルセットのチャネルの総帯域幅が更新後チャネルセットのチャネルの総帯域幅と異なるとき、更新前チャネルセットのチャネルは、更新後チャネルセットのチャネルとは完全に異なること、及び／又は、
更新前チャネルセットのチャネルが、更新後チャネルセットのチャネルと重なること、及び／又は、
更新前チャネルセットのチャネルが、更新後チャネルセットのチャネルと全く同じであること、を含む。
更新前チャネルセットのチャネルの総帯域幅が更新後チャネルセットのチャネルの総帯域幅と同じである場合、更新前チャネルのチャネルは、更新後チャネルセットのチャネルとは完全に異なる。且つ／又は、
更新前チャネルセットのチャネルは、更新後チャネルセットのチャネルと重なる。
【００６８】
なお、本実施形態では、ＡとＢが重なることは、ＡとＢの交点が存在することを意味するに過ぎない。
【００６９】
上記の更新前後のチャネルセットの場合について、説明のために例を挙げる。
【００７０】
アクセスポイントの利用可能な帯域幅が８０ＭＨｚであると仮定すると、利用可能な帯域幅は、チャネル１、チャネル２、チャネル３、チャネル４の４つのチャネルに分割することができる。チャネル１は、サブチャネル１とサブチャネル２とに分割されてよい。各チャネルは２０ＭＨｚの帯域幅を占有し、各サブチャネルは１０ＭＨｚの帯域幅を占有する。
【００７１】
更新前のチャネルセットがチャネル１を含む場合、更新前のチャネルセットに対応するチャネル帯域幅が、更新後チャネルに対応するチャネル帯域幅と異なるときは、更新後チャネルセットはチャネル３及びチャネル４を含むことができる。これは、チャネルが完全に異なるケースである。
【００７２】
或いは、更新後チャネルセットは、チャネル１及びチャネル２を含んでよい。この場合、チャネルは重なり、重なるチャネルはチャネル２である。
【００７３】
或いは、更新後チャネルセットは、チャネル１のサブチャネル１を含んでよい。この場合、チャネルは完全に同じである（すなわち、全てのチャネルはチャネル１である）。
【００７４】
更新前のチャネルセットがチャネル１及びチャネル２を含むと仮定する。
【００７５】
更新前のチャネルセットに対応するチャネル帯域幅が更新後チャネルセットに対応するチャネル帯域幅と同じであるとき、更新後チャネルセットは、チャネル３及びチャネル４を含んでよい。且つ／又は、
更新後チャネルセットはチャネル２及びチャネル３を含んでよく、重なるチャネルはチャネル２である。
【００７６】
本実施形態では、第１のステーションと第２のステーションは両方とも、帯域幅電力節約モードのステーションである。アクセスポイントは、第１のステーション及び第２のステーションにトリガフレームを送信する。トリガフレームは、第１のステーション及び第２のステーションを、所定の時点でデータを送信開始するようにトリガするのに用いられる。よって、第１のステーション及び第２のステーションによりアップリンクデータを送信するためのタイムアライメントを実施する。更に、第１のステーションの動作チャネルは第２のステーションの動作チャネルと重ならないので、本実施形態のアクセスポイントは、帯域幅電力節約モードの２つのステーションのアップリンクデータのハイブリッド送信を同時に制御することができる。これにより、アクセスポイントのリソース利用率が向上する。
【００７７】
第１のチャネルセットが事前設定された後、第１のステーションは、アクセスポイントとのデータの送受信を複数回おこなうことができる。
【００７８】
以上のステップから、本実施形態では、アクセスポイントは、帯域幅電力節約モードのステーションと通信をおこなうとき、残りのチャネルを用いて別のステーションと通信をおこなうことができることが分かるであろう。このようにして、アクセスポイントのリソース利用を向上させることができる。
【００７９】
実施形態３
本願の実施形態は、更に別のデータ伝送方法を提供する。本実施形態では、ダウンリンク伝送の観点から説明を提供する。具体的には、図４に示されるように、本方法は以下のステップを含む。
【００８０】
Ｓ４０１．第１のステーションが、アクセスポイントに要求を送信する。要求は第４のチャネルセットを搬送する。第４のチャネルセットは、帯域幅電力節約モードを有効にするステーションによりアクセスポイントから要求される利用可能チャネルである。第４のチャネルセットのチャネルの総帯域幅は、アクセスポイントの利用可能チャネルの帯域幅よりも小さい。
【００８１】
利用可能チャネルは、チャネル番号、現在のアクセスポイントのプライマリチャネルからの位置オフセットの指示、又はチャネルの中心周波数及び帯域幅を用いて表すことができる。
【００８２】
ここで、ステーションによりアクセスポイントから要求されるチャネルセットは、アクセスポイントによって受信された要求で搬送されるチャネルセットと同じであることに留意すべきである。本願で用いられる「第２のチャネルセット」、「第３のチャネルセット」、「第４のチャネルセット」について、「第Ｘ」は説明を明確にするためのものに過ぎない。アクセスポイントがステーションとインタラクトするシナリオでは、送信側によって送信されるチャネルセットは、受信側によって受信されるチャネルセットである。
【００８３】
Ｓ４０２．アクセスポイントが、要求応答を送信する。要求応答は第５のチャネルセットを搬送する。第５のチャネルセットのチャネルの総帯域幅は、アクセスポイントの利用可能チャネルの帯域幅よりも小さい。
【００８４】
本実施形態では、第１のステーションが電力節約モードを有効にするプロセスは、第１のステーション自体によって開始される。この場合、第１のステーションは、アクセスポイントから返された要求応答を受信した後にのみ、応答で搬送されるチャネルセットに従ってアクセスポイントとデータ伝送をおこなうことができる。
【００８５】
本実施形態では、第１のステーションが要求で要求したチャネルセットは第４のチャネルセットであるが、負荷バランシングの考慮に基づき、第１のステーションに応答してアクセスポイントによって返されるチャネルセットは、必ずしも第４のチャネルセットであるとは限らない。すなわち、この場合、第４のチャネルセットは第５のチャネルセットとは異なる。例えば、第４のチャネルセットに対応するチャネルの負荷が大きすぎ、第５のチャネルセットに対応するチャネルの負荷が比較的小さい場合には、第１のステーションに応答してアクセスポイントによって返されるチャネルセットは、第５のチャネルセットである。
【００８６】
当然ながら、第１のステーションによって要求された第４のチャネルセットがアクセスポイントの付加バランシングの考慮を満たすときは、第１のステーションに応答してアクセスポイントによって返される第５のチャネルセットは、第４のチャネルセットと同じである。すなわち、この場合、アクセスポイントは第１のステーションによって要求された第４のチャネルセットに同意し、アクセスポイントによってフィードバックされる要求応答における第５のチャネルセットは第４のチャネルセットである。
【００８７】
Ｓ４０３．アクセスポイントが、第１のステーションの動作チャネルを用いて、物理層プロトコルデータユニット（ＰＰＤＵ）を第１のステーションに送信する。
【００８８】
本実施形態では、図５に示されるように、ＰＰＤＵは、サービスデータと、第１のステーションのデータ受信方式を示すのに用いられる指示シグナリング（シグナリングＡ及びシグナリングＢ）と、第１のステーションの動作チャネルを示すのに用いられるプリアンブルと、第１のステーションのデータ送信リソースを示すのに用いられる制御シグナリングとを含む。具体的には、プリアンブルは、互換性のあるプリアンブルであってよい。異なるシグナリングＢの情報は、異なる２０ＭＨｚチャネルで送信されてよい。
【００８９】
第１のステーションの動作チャネル指示情報（アクセスポイントにより第１のステーションに送信されたプリアンブルに含まれ、第１のステーションの動作チャネルを示すのに用いられる）は、第１のチャネルセットで送信される。アクセスポイントによって送信される一部のプリアンブル信号は、第１のチャネルセット以外のチャネルを用いて送信をおこなうユーザにサービス提供するために、第１のチャネルセット以外のチャネルを介して送信されてよい。
【００９０】
Ｓ４０４．アクセスポイントが、第２のステーションの動作チャネルを用いて、第２のステーションにＰＰＤＵを送信する。
【００９１】
第１のステーションがプライマリチャネルを占有するとき、第２のステーションが制御情報を受信できるようにするために、具体的には、図６に示されるように、第２のステーションに送信されるＰＰＤＵは、サービスデータと、第２のステーションのデータ受信方式を示すのに用いられる指示シグナリングと、第２のステーションの動作チャネルを示すのに用いられるプリアンブルとを含む。指示情報（すなわちビーコンフレーム）は、第２のステーションの動作チャネルで搬送されてよい。
【００９２】
具体的には、本実施形態では、第１のステーションの動作チャネルは、第１のステーションの帯域幅電力節約モードにおけるチャネルセットのサブセットである。第２のステーションが帯域幅電力節約モードを有効するとき、第２のステーションの動作チャネルは、第２のステーションの帯域幅電力節約モードにおけるチャネルセットのサブセットである。第１のステーションの動作チャネルと第２のステーションの動作チャネルとは重複しない。
【００９３】
Ｓ４０５．第１のステーションが、アクセスポイントに更新要求を送信する。更新要求は第７のチャネルセットを搬送する。第７のチャネルセットは、帯域幅電力節約モードのステーションによりアクセスポイントから要求される更新後チャネルセットである。第７のチャネルセットのチャネルの総帯域幅は、アクセスポイントの利用可能チャネルの帯域幅よりも小さい。第７のチャネルセットは、帯域幅電力節約モードのステーションの更新前チャネルセットとは異なる。
【００９４】
当然ながら、第２のステーションも更新を要求することができ、ここでは詳細の説明を省略する。
【００９５】
Ｓ４０６．アクセスポイントが、更新要求に応答して命令を送信する。命令は、ステーションのチャネルセットを第７のチャネルセットに変更するように指示するのに用いられる。
【００９６】
なお、ステップＳ４０３とステップＳ４０４の実行順序は限定されない。すなわち、ステップＳ４０３は、ステップＳ４０４の前に実行されてもよいし、ステップＳ４０４の後に実行されてもよい。
【００９７】
更に、本実施形態では、第１のステーションの帯域幅電力節約モードの更新は第１のステーションによって開始されるが、更新前後のチャネルセット間の関係については、前の実施形態を参照することができる。
【００９８】
本実施形態では、第１のステーションは帯域幅電力節約モードのステーションであり、第２のステーションは非帯域幅電力節約モードでのステーションである。アクセスポイントは、第１のステーション及び第２のステーションにプリアンブルを送信する。プリアンブルは、第１のステーション及び第２のステーションによりダウンリンクデータを受信するための動作チャネルを示すのに用いられる。第１のステーションの動作チャネルと第２のステーションの動作チャネルとは重複しない。このように、アクセスポイントはダウンロードデータを複数のステーションに同時に送信することができ、ノードのリソース利用率を向上させることができる。
【００９９】
なお、図３及び図４に示されるデータ伝送方法について、図３では、アクセスポイントがステーションを帯域幅電力節約モードを有効にするように制御し（Ｓ３０１及びＳ３０２）、図４では、ステーションが積極的に帯域幅電力節約モードを有効にするように要求する（Ｓ４０１及びＳ４０２）。この２つの方式は交換可能であり、上記の実施形態で説明されたアップリンク又はダウンリンクのシナリオに強制的に適用されるように限定されるものではない。同様に、ステーションの帯域幅電力節約モードの更新は、アクセスポイントによって開始されてもよく（Ｓ３０６）、ステーションにより積極的に開始されてもよい（Ｓ４０５）。この２つの方式は交換可能であり、上記の実施形態で説明されたアップリンク又はダウンリンクのシナリオに強制的に適用されるように限定されるものではない。
【０１００】
実施形態４
図７に示されるように、データ伝送方法の実施形態に対応して、本願の実施形態はアクセスポイントを提供する。本アクセスポイントは、
第１のステーションの動作チャネルを用いて、第１のステーションとデータ伝送をおこなうように構成される第１のデータ伝送ユニット７１０であって、第１のステーションは帯域幅電力節約モードを有効にし、第１のステーションの動作チャネルは、第１のステーションの利用可能チャネルである、第１のデータ伝送ユニット７１０と、
第１のステーションの動作チャネルを用いて第１のステーションとのデータ伝送がおこなわれるとき、第２のステーションの動作チャネルを用いて、第２のステーションとデータ伝送をおこなうように構成される第２のデータ伝送ユニット７２０であって、第１のステーションの動作チャネルと第２のステーションの動作チャネルとは、アクセスポイントの利用可能チャネルの全部又は一部を形成する、第２のデータ伝送ユニット７２０と、
を備える。
【０１０１】
任意に、本実施形態において提供されるアクセスポイントは更に、
第１のステーションの動作チャネルを用いて第１のステーションとのデータ伝送がおこなわれる前に、第１のステーションに第１のシグナリングを送信するように構成されるシグナリング送信ユニット７３０であって、第１のシグナリングは、帯域幅電力節約モードを有効にするように指示し且つ第１のステーションが利用可能な第１のチャネルセットを示すのに用いられ、第１のチャネルセットのチャネルの総帯域幅は、アクセスポイントの利用可能チャネルの帯域幅よりも小さい、シグナリング送信ユニット７３０と、
第１のステーションの動作チャネルを用いて第１のステーションとのデータ伝送がおこなわれる前に、第１のステーションから帯域幅電力節約モードを有効にするための要求を受信するように構成される受信ユニット７４０であって、要求は第２のチャネルセットを搬送し、第２のチャネルセットは、アクセスポイントから第１のステーションによって要求された、帯域幅電力節約モードでの利用可能チャネルであり、第２のチャネルセットのチャネルの総帯域幅は、アクセスポイントの利用可能チャネルの帯域幅よりも小さい、受信ユニット７４０と、
第１のステーションに要求応答を送信するように構成される応答ユニット７５０であって、要求応答は第３のチャネルセットを搬送し、第３のチャネルセットのチャネルの総帯域幅は、アクセスポイントの利用可能チャネルの帯域幅よりも小さい、応答ユニット７５０と、
を備える。
【０１０２】
シグナリング送信ユニットは、アクセスポイントが積極的にステーションを帯域幅電力節約モードを有効にするように制御するように構成される。受信ユニット及び応答ユニットは、ステーションが積極的に帯域幅電力節約モードの有効化をトリガしたときにステーションと協働するように構成される。
【０１０３】
任意に、本実施形態で提供されるアクセスポイントは更に、帯域幅電力節約モードのステーションに更新命令を送信するように構成される更新命令送信ユニット７６０を備えてよい。更新命令は、アクセスポイントにより帯域幅電力節約モードのステーションに対して割り当てられる更新後チャネルセットを示すのに用いられ、更新後チャネルセットのチャネルの総帯域幅は、アクセスポイントの利用可能チャネルの帯域幅よりも小さく、更新後チャネルセットは、帯域幅電力節約モードのステーションの更新前チャネルセットとは異なる。
【０１０４】
アップリンクデータ伝送に適応するために、本実施形態において、アクセスポイントは更に、
第１のデータ伝送ユニットが第１のステーションの動作チャネルを用いて第１のステーションとデータ伝送をおこなう前に、第１のステーションに、第１のステーションの動作チャネルを示すのに用いられる第１のトリガフレームを送信し、第２のステーション伝送ユニットが第２のステーションの動作チャネルを用いて第２のステーションとデータ伝送をおこなう前に、第２のステーションに、第２のステーションの動作チャネルを示すのに用いられる第２のトリガフレームを送信するように構成されるトリガフレーム送信ユニット７７０、
を備えてよい。第１のトリガフレームは、第１のステーションを所定の送信時点でデータを送信開始するようにトリガするのに用いられる。第２のトリガフレームは、第２のステーションを所定の送信時点でデータを送信開始するようにトリガするのに用いられる。
【０１０５】
アップリンク伝送時、第１のデータ伝送ユニットが第１のステーションの動作チャネルを用いて第１のステーションとデータ伝送をおこなう具体的な実施は、第１のステーションの動作チャネルを用いて、第１のステーションにより所定の送信時点に送信開始されるデータを受信することであってよい。所定の送信時点はアクセスポイントによって指定される。第２のデータ伝送ユニットが第２のステーションとデータ伝送をおこなう具体的な実施は、第２のステーションの動作チャネルを用いて、第２のステーションにより所定の送信時点に送信開始されるデータを受信することであってよい。
【０１０６】
第１のステーションの動作チャネルは、第１のステーションの帯域幅電力節約モードにおけるチャネルセットのサブセットである。第２のステーションが帯域幅電力節約モードを有効するとき、第２のステーションの動作チャネルは、第２のステーションの帯域幅電力節約モードにおけるチャネルセットのサブセットである。第１のステーションの動作チャネルと第２のステーションの動作チャネルとは重複しない。
【０１０７】
ダウンリンク伝送時、第１のデータ伝送ユニットが第１のステーションの動作チャネルを用いて第１のステーションとデータ伝送をおこなう具体的な実施は、第１のステーションの動作チャネルを用いて、第１のステーションにＰＰＤＵを送信することであってよい。ＰＰＤＵは、サービスデータと、第１のステーションのデータ受信方式を示すのに用いられる指示シグナリングと、第１のステーションの動作チャネルを示すのに用いられるプリアンブルと、第１のステーションのデータ送信リソースを示すのに用いられる制御シグナリングとを含む。第２のデータ伝送ユニットが残りのチャネルを用いて第２のステーションとデータ伝送をおこなう具体的な実施は、第２のステーションの動作チャネルを用いて、第２のステーションにＰＰＤＵを送信することであってよい。ＰＰＤＵは、サービスデータと、第２のステーションのデータ受信方式を示すのに用いられる指示シグナリングと、第２のステーションの動作チャネルを示すのに用いられるプリアンブルとを含む。
【０１０８】
第１のステーションの動作チャネルは、第１のステーションの帯域幅電力節約モードにおけるチャネルセットのサブセットである。第２のステーションが帯域幅電力節約モードを有効するとき、第２のステーションの動作チャネルは、第２のステーションの帯域幅電力節約モードにおけるチャネルセットのサブセットである。第１のステーションの動作チャネルと第２のステーションの動作チャネルとは重複しない。任意に、本実施形態では、アクセスポイントとデータ伝送をおこなう１つ以上の第２のステーションが存在してよい。
【０１０９】
帯域幅電力節約モードのステーションと通信をおこなうとき、本発明の本実施形態で提供されるアクセスポイントは更に、残りのチャネルを用いて別のステーションとデータ伝送をおこなうことができる。このように、帯域幅電力節約モードのステーションの動作チャネルを除くアクセスポイントの全ての帯域幅リソースをデータ伝送に利用することができるので、アクセスポイントのリソース利用率を向上させることができる。
【０１１０】
実施形態５
本願の実施形態は更に、ステーションを提供する。本ステーションは、
帯域幅電力節約モードを有効にするように構成される帯域幅電力節約モード有効化ユニット、
を備える。
【０１１１】
帯域幅電力節約モードを有効にするステーションは、動作チャネルを用いてアクセスポイントとデータ伝送をおこなう。動作チャネルは、帯域幅電力節約モードにおけるステーションの利用可能チャネルである。アクセスポイントは、ステーションとデータ伝送をおこなうときに、第２のステーションの動作チャネルを用いて、第２のステーションとデータ伝送をおこなうように構成される。ステーションの動作チャネルと第２のステーションの動作チャネルとは、アクセスポイントの利用可能チャネルの全部又は一部を形成する。
【０１１２】
図８に示されるように、帯域幅電力節約モード有効化ユニットは、具体的には、
アクセスポイントに要求を送信するように構成される要求送信サブユニット８１０であって、要求は第４のチャネルセットを搬送し、第４のチャネルセットは、帯域幅電力節約モードを有効にするステーションによりアクセスポイントから要求された利用可能チャネルであり、第４のチャネルセットのチャネルの総帯域幅は、アクセスポイントの利用可能チャネルの帯域幅よりも小さい、要求送信サブユニット８１０と、
アクセスポイントによって送信された要求応答を受信するように構成される受信サブユニット８２０であって、要求応答は第５のチャネルセットを搬送し、第５のチャネルセットのチャネルの総帯域幅は、アクセスポイントの利用可能チャネルの帯域幅よりも小さい、受信サブユニット８２０と、
を有してよい。
【０１１３】
或いは、帯域幅電力節約モード有効化ユニットが帯域幅電力節約モードを有効にする具体的な実施は、アクセスポイントによって送信された第２のシグナリングを受信することであってよい。第２のシグナリングは、ステーションに帯域幅電力節約モードを有効にするように指示し且つステーションが利用可能な第６のチャネルセットを示すのに用いられる。第６のチャネルセットのチャネルの総帯域幅は、アクセスポイントの利用可能チャネルの帯域幅よりも小さい。
【０１１４】
任意に、本実施形態において提供されるステーションは更に、
ステーションが帯域幅電力節約モードを有効にした後、アクセスポイントに更新要求を送信するように構成される更新要求送信ユニット８３０であって、更新要求は第７のチャネルセットを搬送し、第７のチャネルセットのチャネルの総帯域幅は、アクセスポイントの利用可能チャネルの帯域幅よりも小さく、第７のチャネルセットは、帯域幅電力節約モードのステーションの更新前チャネルセットとは異なる、ように構成される更新要求送信ユニット８３０と、
アクセスポイントによって返された更新要求に対する応答を受信するように構成される更新命令受信ユニット８４０であって、応答は、ステーションのチャネルセットを第７のチャネルセットに変更するように指示するのに用いられる、更新命令受信ユニット８４０と、
を備えてよい。
【０１１５】
更に、更新命令受信ユニットは更に、ステーションが帯域幅電力節約モードを有効にした後、アクセスポイントによって送信された更新命令を受信するように構成されてよい。更新命令は、アクセスポイントによりステーションに割り当てられる更新後チャネルセットを示すのに用いられる。更新後チャネルセットのチャネルの総帯域幅は、アクセスポイントの利用可能チャネルの帯域幅よりも小さい。更新後チャネルセットは、帯域幅電力節約モードのステーションの更新前チャネルセットとは異なる。
【０１１６】
本実施形態では、ステーションの動作チャネルを用いて帯域幅電力節約モードのステーションとデータ伝送をおこなうとき、アクセスポイントは、別の動作チャネルを用いて別のステーションとでデータ伝送をおこなう。すなわち、本願の解決策では、アクセスポイントは、帯域幅電力節約モードのステーションと別のステーションと、同時にデータ伝送をおこなうことができる。すなわち、アクセスポイントについては、ステーションの動作チャネルがアクセスポイントの利用可能な帯域幅リソースの一部のみを占有するが、アクセスポイントは更に、残りのチャネルを用いて、別のステーションとデータ伝送をおこなうことができる。このように、ステーションの動作チャネルを除くアクセスポイントの全ての帯域幅リソースを同時にデータ伝送に利用することができるので、アクセスポイント側のリソース利用率を向上させることができる。更に、別のステーションとデータ伝送をおこなうためにアクセスポイントによって用いられるチャネルは、ステーションとデータ伝送をおこなうためにアクセスポイントによって用いられる動作チャネルとは異なる残りのチャネルである。したがって、ステーションの動作チャネルがプライマリチャネルを含んでいても、アクセスポイントは更に、残りのチャネルを用いて別のステーションとデータ伝送をおこなうことができる。
【０１１７】
実施態様の方法の機能がソフトウェア機能ユニットの形で実現され、独立した製品として販売又は使用される場合、機能はコンピューティングデバイス読取り可能な記憶媒体に記憶されてよい。このような理解に基づき、従来技術又は技術的解決策の一部に寄与する本発明の実施形態の一部は、ソフトウェア製品の形で実現されてよい。ソフトウェア製品は記憶媒体に記憶され、コンピューティングデバイス（パーソナルコンピュータ、サーバ又はネットワーク装置であってよい）に、本発明の実施形態に記載された方法のステップの全部又は一部を実行するように命令するためのいくつかの命令を含む。上記の記憶媒体は、ＵＳＢフラッシュドライブ、リムーバブルハードディスク、読出専用メモリ（ＲＯＭ，Read-Only  Memory）、ランダムアクセスメモリ（ＲＡＭ，Random  Access  Memory）、磁気ディスク、光ディスク等の、プログラムコードを記憶可能な任意の媒体を含む。
【０１１８】
本明細書の実施形態は全て漸進的に記載されており、実施形態の同一又は類似の部分についてはこれらの実施形態を参照することができ、各実施形態は他の実施形態との差異に焦点を合わせる。
【０１１９】
上述した実施形態は、当業者が本発明を実施又は使用することを可能にするように記載されている。当業者には実施形態の様々な変更は明らかであり、本明細書に定義される一般原則は、本発明の範囲から逸脱することなく、他の実施形態において実施することができる。したがって、本発明は、本明細書に記載されたこれらの実施形態に限定されるものではなく、本明細書に開示された原理及び新規な特徴と一致する最も広い範囲に解釈されるものとする。
【図１】
0006534488.tif 000002
【図２】
0006534488.tif 000003
【図３】
0006534488.tif 000004
【図４】
0006534488.tif 000005
【図５】
0006534488.tif 000006
【図６】
0006534488.tif 000007
【図７】
0006534488.tif 000008
【図８】
0006534488.tif 000009